(57)【要約】【課題】主に各種電子機器の操作に用いられるリモコン送信機に関し、誤操作を防ぎ、確実な操作が可能なものを提供することを目的とする。【解決手段】ケース２１上面に等間隔で配列された複数の操作キーのうち、所定の列の操作キー２２Ａと２２Ｂを他の列のキー数よりも一つ少なく形成し、扉体６が閉じた状態では上方の押圧キー２７Ａと２７Ｂでこれを押圧することによって、扉体６が途中まで開かれた状態で押圧キー２７Ａや２７Ｂを押圧操作した場合でも、誤って下方の操作キー２２Ｃや２２Ｄ等が押圧されることがないため、誤操作を防ぎ、確実な操作が可能なリモコン送信機を得ることができる。【選択図】図１
2012222418.tif 000002
【特許請求の範囲】
【請求項１】
略箱型のケースと、このケース上面に等間隔で配列された複数の操作キーと、この操作キーの上下動に応じて電気的接離を行うスイッチ接点と、上記ケース上面に摺動可能に装着され上記操作キーを覆う扉体と、この扉体上面に配列され上下動によって下端が所定の上記操作キーを押圧する複数の押圧キーと、上記スイッチ接点の電気的接離に応じて、送信手段からリモコン信号を送信する制御手段からなり、所定の列の操作キーを他の列よりも少ないキー数に形成したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行えるものが増えている。
【０００３】
このような従来のリモコン送信機について、図７〜図１１を用いて説明する。
【０００４】
図７は従来のリモコン送信機の断面図、図８は同扉体を開いた平面図、図９は同扉体を閉じた平面図であり、同図において、１は略箱型で絶縁樹脂製のケース、２はゴム等の操作体で、操作体２上面には下方に略ドーム状の薄肉部が形成された複数の操作キー２Ａや２Ｂ等が設けられると共に、この等間隔で三つずつ配列され、前後方向に４列に並んだ複数の操作キー２Ａや２Ｂ等が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４が設けられ、この固定接点４が複数の操作キー２Ａや２Ｂ等の下面に形成されたカーボン等の可動接点５と、所定の間隙を空けて対向して複数のスイッチ接点が形成されている。
【０００６】
また、６は絶縁樹脂製の扉体、７はゴム等の押圧体で、押圧体７上面には下方に略ドーム状の薄肉部が形成された複数の押圧キー７Ａや７Ｂ等が設けられると共に、この複数の押圧キー７Ａや７Ｂ等が、扉体６上面の複数の開口孔から上下動可能に突出している。
【０００７】
さらに、８は板状で絶縁樹脂製の保持板で、この保持板８が扉体６下面を覆い固着されて、押圧体７が扉体６内に収納されると共に、保持板８下面の複数の開口孔からは、複数の押圧キー７Ａや７Ｂ等の下端が突出している。
【０００８】
そして、扉体６がケース１上面に前後方向へ摺動可能に装着されると共に、この扉体６が閉じて、複数の操作キー２Ａや２Ｂ等を覆った状態では、複数の押圧キー７Ａや７Ｂ等の下端が所定の列の操作キーに、例えば図１０の平面図に示すように、押圧キー７Ａ下端が２列目の操作キー２Ａ上面に、押圧キー７Ｂが同じく操作キー２Ｂに、押圧キー７Ｃ下端が４列目の操作キー２Ｃ上面に、押圧キー７Ｄが同じく操作キー２Ｄに各々当接している。
【０００９】
また、配線基板３上下面には、発光ダイオード等のリモコン信号を送信する送信手段９や、液晶表示素子等の表示手段１０、配線パターンを介して送信手段９や表示手段１０、複数の固定接点４等に接続されたマイコン等の制御手段１１が形成されると共に、ケース１下面を絶縁樹脂製のカバー１２が覆って、リモコン送信機が構成されている。
【００１０】
なお、扉体６が閉じた状態で、この上面から突出した複数の押圧キー７Ａや７Ｂ等は電子機器の、例えば機器がエアコンであった場合、電源の入／切や冷暖房の切換え等の、通常頻繁に使用される操作に用いられ、扉体６が開いた状態で、ケース１上面から突出した複数の操作キー２Ａや２Ｂ等は、温度の増減や、風量や風向の切換え、タイマーの時刻設定等の、比較的使用頻度の少ないものに用いられる。
【００１１】
以上の構成において、図９や図１０に示すように、扉体６が閉じた状態で、扉体６上面から突出した所定の押圧キー、例えば押圧キー７Ａを押圧操作すると、略ドーム状の薄肉部が弾性変形して押圧キー７Ａが下方へ移動し、押圧キー７Ａ下端がこの下方の２列目の操作キー２Ａ上面を押圧する。
【００１２】
そして、この操作キー２Ａが略ドーム状の薄肉部を弾性変形させて下方へ移動し、この下面の可動接点５が複数の固定接点４と接触して、スイッチ接点の電気的接離が行われ、この電気的接離に応じて制御手段１１が、送信手段９から赤外線のリモコン信号を電子機器へ送信し、例えば、エアコンの冷房作動が遠隔操作によって行われる。
【００１３】
また、扉体６を後方へ摺動し、図８に示すように、扉体６が開いた状態で、ケース１上面から突出した所定の操作キー、例えば２列目の操作キー２Ａを押圧操作すると、略ドーム状の薄肉部が弾性変形して操作キー２Ａが下方へ移動し、この下面の可動接点５が複数の固定接点４と接触して、スイッチ接点の電気的接離が行われる。
【００１４】
そして、この電気的接離に応じて制御手段１１が送信手段９からリモコン信号を送信するが、この時、扉体６と配線基板３の間に別途設けられた検知スイッチ（図示せず）等によって、扉体６が開いた状態であることを制御手段１１が検出し、上記の押圧キー７Ａを介して押圧操作した場合とは異なるリモコン信号を電子機器へ送信して、例えば、設定温度の切換え等が遠隔操作によって行われる。
【００１５】
つまり、制御手段１１が検知スイッチ等によって扉体６の開閉状態を検出し、複数の操作キー２Ａや２Ｂ等と押圧キー７Ａや７Ｂ等のどちらが操作されたかを判別して、扉体６が開いて操作キー２Ａや２Ｂ等を直接押圧操作した場合と、扉体６が閉じて押圧キー７Ａや７Ｂ等を介して押圧操作した場合とでは、異なるリモコン信号を送信することによって、遠隔操作する機能を増やし、機器のより多様な操作が可能なように構成されているものであった。
【００１６】
なお、この出願の発明に関連する先行技術文献情報としては、例えば、特許文献１が知られている。
【先行技術文献】
【特許文献】
【００１７】
【特許文献１】特開２００９−１７０３２９号公報
【発明の概要】
【発明が解決しようとする課題】
【００１８】
しかしながら、上記従来のリモコン送信機においては、ケース１上面の複数の操作キー２Ａや２Ｂ等が、等間隔で三つずつ前後方向に４列に並んで配列されているため、図１１の平面図に示すように、扉体６を途中まで開き、操作キー２Ｃや２Ｄ上に押圧キー７Ａや７Ｂがたまたま位置した状態で、誤って押圧キー７Ａや７Ｂを押圧操作した場合には、これによって操作キー２Ｃや２Ｄが押圧され、例えばタイマー設定等のリモコン信号が送信されて、意図しない電子機器の誤操作が行われてしまう場合があるという課題があった。
【００１９】
本発明は、このような従来の課題を解決するものであり、誤操作が生じづらく、確実な操作が可能なリモコン送信機を提供することを目的とする。
【課題を解決するための手段】
【００２０】
上記目的を達成するために本発明は、ケース上面に等間隔で配列された複数の操作キーのうち、所定の列の操作キー数を他の列よりも少なく形成してリモコン送信機を構成したものであり、所定の列の操作キーを他の列よりも少ないキー数に形成し、扉体が閉じた状態では上方の押圧キーによってこれを押圧することで、扉体が途中まで開かれた状態で押圧キーを押圧操作した場合でも、誤って下方の操作キーが押圧されることがないため、誤操作を防ぎ、確実な操作が可能なリモコン送信機を得ることができるという作用を有するものである。
【発明の効果】
【００２１】
以上のように本発明によれば、誤操作を防ぎ、確実な操作が可能なリモコン送信機を実現できるという有利な効果が得られる。
【図面の簡単な説明】
【００２２】
【図１】本発明の一実施の形態によるリモコン送信機の断面図
【図２】同平面図
【図３】同平面図
【図４】同平面図
【図５】同平面図
【図６】同断面図
【図７】従来のリモコン送信機の断面図
【図８】同平面図
【図９】同平面図
【図１０】同平面図
【図１１】同平面図
【発明を実施するための形態】
【００２３】
以下、本発明の実施の形態について、図１〜図６を用いて説明する。
【００２４】
なお、背景技術の項で説明した構成と同一構成の部分には同一符号を付して、詳細な説明を簡略化する。
【００２５】
（実施の形態）
図１は本発明の一実施の形態によるリモコン送信機の断面図、図２は同扉体を開いた平面図、図３は同扉体を閉じた平面図であり、同図において、２１は略箱型でポリスチレンやＡＢＳ等の絶縁樹脂製のケース、２２はゴムやエラストマー等の操作体で、操作体２２上面には下方に略ドーム状の薄肉部が形成された複数の操作キー２２Ａや２２Ｂ等が設けられると共に、これらがケース２１上面の複数の開口孔から上下動可能に突出している。
【００２６】
そして、これらの前後方向に４列に並んで配列された操作キーは、１列目と３列目、４列目の操作キー２２Ｃや２２Ｄ等は、等間隔で三つずつ並んで配列形成されているが、２列目のみは間隔は同じであるが、他の列よりも一つ少ないキー数の二つの操作キー２２Ａと２２Ｂが、他の列の操作キーの間に配列されて形成されている。
【００２７】
また、２３は紙フェノールやガラス入りエポキシ等の配線基板で、上下面に銅箔等によって複数の配線パターン（図示せず）が形成され、この上面に操作体２２が載置されると共に、配線基板２３上面にはカーボン等の複数の固定接点４が設けられ、この固定接点４が複数の操作キー２２Ａや２２Ｂ等の下面に形成されたカーボン等の可動接点５と、所定の間隙を空けて対向して複数のスイッチ接点が形成されている。
【００２８】
さらに、６は絶縁樹脂製の扉体、２７はゴムやエラストマー等の押圧体で、押圧体２７上面には下方に略ドーム状の薄肉部が形成された複数の押圧キー２７Ａや２７Ｂ等が設けられると共に、この複数の押圧キー２７Ａや２７Ｂ等が、扉体６上面の複数の開口孔から上下動可能に突出している。
【００２９】
また、２８は板状で絶縁樹脂製の保持板で、この保持板２８が扉体６下面を覆い固着されて、押圧体２７が扉体６内に収納されると共に、保持板２８下面の複数の開口孔からは、複数の押圧キー２７Ａや２７Ｂ等の下端が突出している。
【００３０】
そして、扉体６がケース２１上面に前後方向へ摺動可能に装着されると共に、この扉体６が閉じて、複数の操作キー２２Ａや２２Ｂ等を覆った状態では、複数の押圧キー２７Ａや２７Ｂ等の下端が所定の列の操作キーに、例えば図４の平面図に示すように、押圧キー２７Ａ下端が２列目の操作キー２２Ａ上面に、押圧キー２７Ｂが同じく操作キー２２Ｂに、押圧キー２７Ｃ下端が４列目の操作キー２２Ｃ上面に、押圧キー２７Ｄが同じく操作キー２２Ｄに各々当接している。
【００３１】
さらに、配線基板２３上下面には、発光ダイオード等のリモコン信号を送信する送信手段９や、液晶表示素子等の表示手段１０、配線パターンを介して送信手段９や表示手段１０、複数の固定接点４等に接続されたマイコン等の制御手段１１が形成されると共に、ケース２１下面を絶縁樹脂製のカバー１２が覆って、リモコン送信機が構成されている。
【００３２】
なお、扉体６が閉じた状態で、この上面から突出した複数の押圧キー２７Ａや２７Ｂ等は電子機器の、例えば機器がエアコンであった場合、電源の入／切や冷暖房の切換え等の、通常頻繁に使用される操作に用いられ、扉体６が開いた状態で、ケース２１上面から突出した複数の操作キー２２Ａや２２Ｂ等は、温度の増減や、風量や風向の切換え、タイマーの時刻設定等の、比較的使用頻度の少ないものに用いられる。
【００３３】
以上の構成において、図３や図４に示すように、扉体６が閉じた状態で、扉体６上面から突出した所定の押圧キー、例えば押圧キー２７Ａを押圧操作すると、略ドーム状の薄肉部が弾性変形して押圧キー２７Ａが下方へ移動し、押圧キー２７Ａ下端がこの下方の２列目の操作キー２２Ａ上面を押圧する。
【００３４】
そして、この操作キー２２Ａが略ドーム状の薄肉部を弾性変形させて下方へ移動し、この下面の可動接点５が複数の固定接点４と接触して、スイッチ接点の電気的接離が行われ、この電気的接離に応じて制御手段１１が、送信手段９から赤外線のリモコン信号を電子機器へ送信し、例えば、エアコンの冷房作動が遠隔操作によって行われる。
【００３５】
また、扉体６を後方へ摺動し、図２に示すように、扉体６が開いた状態で、ケース２１上面から突出した所定の操作キー、例えば２列目の操作キー２２Ａを押圧操作すると、略ドーム状の薄肉部が弾性変形して操作キー２２Ａが下方へ移動し、この下面の可動接点５が複数の固定接点４と接触して、スイッチ接点の電気的接離が行われる。
【００３６】
そして、この電気的接離に応じて制御手段１１が送信手段９からリモコン信号を送信するが、この時、扉体６と配線基板２３の間に別途設けられた検知スイッチ（図示せず）等によって、扉体６が開いた状態であることを制御手段１１が検出し、上記の押圧キー２７Ａを介して押圧操作した場合とは異なるリモコン信号を電子機器へ送信して、例えば、設定温度の切換え等が遠隔操作によって行われる。
【００３７】
つまり、制御手段１１が検知スイッチ等によって扉体６の開閉状態を検出し、複数の操作キー２２Ａや２２Ｂ等と押圧キー２７Ａや２７Ｂ等のどちらが操作されたかを判別して、扉体６が開いて操作キー２２Ａや２２Ｂ等を直接押圧操作した場合と、扉体６が閉じて押圧キー２７Ａや２７Ｂ等を介して押圧操作した場合とでは、異なるリモコン信号を送信することによって、遠隔操作する機能を増やし、機器のより多様な操作が可能なように構成されている。
【００３８】
さらに、本発明においては、図５の平面図や図６の断面図に示すように、扉体６を途中まで開き、操作キー２２Ｃや２２Ｄ上に押圧キー２７Ａや２７Ｂがたまたま位置した状態で、誤って押圧キー２７Ａや２７Ｂを押圧操作した場合にも、これによって操作キー２２Ｃや２２Ｄが押圧され、例えばタイマー設定等のリモコン信号が送信されて、意図しない電子機器の誤操作が行われることのないようになっている。
【００３９】
すなわち、押圧キー２７Ａと２７Ｂは、図１や図４に示したように、扉体６を閉じた状態で、他の列よりも一つ少ないキー数で、他の列の操作キーの間に配列された、２列目の操作キー２２Ａと２２Ｂ上面のみを押圧するように、下端が形成されている。
【００４０】
したがって、図５や図６に示すように、扉体６が途中まで開き、押圧キー２７Ａと２７Ｂが、三つずつ並んで配列形成された操作キー２２Ｃや２２Ｄ等の上方に位置した状態では、押圧キー２７Ａや２７Ｂを押圧操作しても、この下端は操作キー２２Ｃや２２Ｄ等の間のケース２１上面を押圧するだけで、操作キー２２Ｃや２２Ｄ等の電気的接離は行われない。
【００４１】
つまり、前後方向に４列に並んで配列された複数の操作キーのうち、２列目の操作キー２２Ｃと２２Ｄのみを他の列のキー数よりも一つ少なく配列形成すると共に、扉体６が閉じた状態では上方の押圧キー２７Ａと２７Ｂでこれらを押圧するように形成することで、扉体６が途中まで開かれた状態で、誤って押圧キー２７Ａや２７Ｂを押圧操作した場合でも、下方の操作キー２２Ｃや２２Ｄ等が押圧されて、意図しないリモコン信号が送信され、電子機器の誤操作が行われてしまうことのないように構成されている。
【００４２】
なお、以上の説明では、ケース２１上面の１列目と３列目、４列目に三つずつの操作キー２２Ｃや２２Ｄ等を、２列目に他の列よりも一つ少ないキー数の二つの操作キー２２Ａと２２Ｂを配列すると共に、扉体６に四つの押圧キー２７Ａ〜２７Ｄを配列した構成について説明したが、リモコン送信機の大きさや必要なキー数に応じ、例えば、１列目と３列目、４列目に四つの操作キーを、２列目に他の列よりも一つ少ない三つの操作キーを配列し、これを三つの押圧キーが２列に並んだもので押圧する構成としても、本発明の実施は可能である。
【００４３】
また、以上の説明では、配線基板２３上面の複数の固定接点４と、この上面に載置された操作体２２下面の可動接点５によって、複数のスイッチ接点を形成した構成について説明したが、配線基板２３上面の固定接点上に、略ドーム状で導電金属薄板製の可動接点を載置したものや、或いは配線基板２３上に、複数の個別のプッシュスイッチを実装したもの等、様々なスイッチ接点を用いた構成においても、本発明の実施は可能である。
【００４４】
このように本実施の形態によれば、ケース２１上面に等間隔で配列された複数の操作キーのうち、所定の列の操作キー２２Ａと２２Ｂを他の列のキー数よりも少なく形成し、扉体６が閉じた状態では上方の押圧キー２７Ａと２７Ｂでこれを押圧することによって、扉体６が途中まで開かれた状態で押圧キー２７Ａや２７Ｂを押圧操作した場合でも、誤って下方の操作キー２２Ｃや２２Ｄ等が押圧されることがないため、誤操作を防ぎ、確実な操作が可能なリモコン送信機を得ることができるものである。
【産業上の利用可能性】
【００４５】
本発明によるリモコン送信機は、誤操作を防ぎ、確実な操作が可能なものを得ることができるという有利な効果を有し、主に各種電子機器の操作用として有用である。
【符号の説明】
【００４６】
４  固定接点
５  可動接点
６  扉体
９  送信手段
１０  表示手段
１１  制御手段
１２  カバー
２１  ケース
２２  操作体
２２Ａ、２２Ｂ、２２Ｃ、２２Ｄ  操作キー
２３  配線基板
２７  押圧体
２７Ａ、２７Ｂ、２７Ｃ、２７Ｄ  押圧キー
２８  保持板
【図１】
2012222418.tif 000003
【図２】
2012222418.tif 000004
【図３】
2012222418.tif 000005
【図４】
2012222418.tif 000006
【図５】
2012222418.tif 000007
【図６】
2012222418.tif 000008
【図７】
2012222418.tif 000009
【図８】
2012222418.tif 000010
【図９】
2012222418.tif 000011
【図１０】
2012222418.tif 000012
【図１１】
2012222418.tif 000013